(57)【要約】【課題】加熱調理手段の駆動制御を禁止する特殊モード（デモモード）を有する調理器において、デモモード解除時に各設定条件を意図した条件に確実に設定できるようにする。【解決手段】加熱手段２を停止させた状態で、調理器の動作内容を入力する入力手段３から入力された動作内容に従って動作するデモモードの開始および解除をモード切換手段４により指示し、調理器の動作を規定する複数の設定条件が記憶される記憶領域５を有する設定条件選択手段６により各々の設定条件の内容を選択および変更する。設定条件選択手段６からの選択および変更内容に基づいて記憶領域５を変更する制御手段８により記憶領域５から読み出した記憶内容に基づいて調理器の動作を制御し、調理器の状態を表示手段７により表示する。制御手段８は、モード切換手段４でデモモードの解除が指示された後、各々の設定条件のすべてあるいは特定の一部を表示手段７に表示するよう構成する。【選択図】図１
2007222457.tif 000002
【特許請求の範囲】
【請求項１】
加熱手段と、調理器の動作内容を入力する入力手段と、前記加熱手段を停止させた状態で前記入力手段から入力された動作内容に従って動作するデモモードの開始および解除を指示するモード切換手段と、調理器の動作を規定する複数の設定条件が記憶される記憶領域を有し、各々の設定条件の内容を選択および変更する設定条件選択手段と、前記設定条件選択手段からの選択および変更内容に基づいて記憶領域を変更し前記記憶領域から読み出した記憶内容に基づいて調理器の動作を制御する制御手段と、調理器の状態を表示する表示手段とを備え、前記制御手段は、前記モード切換手段でデモモードの解除が指示された後、各々の設定条件のすべてあるいは特定の一部を前記表示手段に表示するよう構成した調理器。
【請求項２】
制御手段は、モード切換手段でデモモードの解除が指示された後、各々の設定条件の内、少なくとも、前記モード切換手段でデモモードの設定が指示されてから、前記モード切換手段でデモモードの解除が指示されるまでに、設定条件選択手段により設定条件の変更があった設定条件のすべてあるいは特定の一部を、表示手段に表示するようにした請求項１記載の調理器。
【請求項３】
モード切換手段でデモモードの解除後の設定条件の表示中に設定条件を変更できる第１の設定条件再設定手段を備えた請求項１または２記載の調理器。
【請求項４】
モード切換手段でデモモードの解除後の設定条件の表示中に個別あるいはすべての設定条件をデモモード開始前の状態に変更するかどうか選択できる第２の設定条件再設定手段を備えた請求項１〜３のいずれか１項に記載の調理器。
【発明の詳細な説明】
【技術分野】
【０００１】
本発明は、マグネトロン等の加熱調理手段の駆動制御を禁止する特殊モード（デモモード）を有する調理器に関するものである。
【背景技術】
【０００２】
最近の炊飯器などの調理器は、マイクロコンピュータが搭載されているので多種多様な調理が可能である反面、操作が複雑である。そのため、調理器の販売を促進するためには、たとえば販売店の店頭で、店員が調理器の操作を実演しながら調理器の性能や機能、操作方法などを顧客に説明したり、顧客自身に操作してもらい、その機能や操作方法を確認してもらう必要がある。
【０００３】
しかし、調理器の操作の実演においては、加熱手段が駆動されるので、被加熱物を入れる必要があるとともに、顧客自身が操作する場合などに、常に監視することもできないため、不必要な加熱で火傷をする可能性もあるので、加熱手段を駆動するのは、危険であり、また加熱手段の寿命を短くする恐れもあり、好ましくない。
【０００４】
そこで、加熱手段を停止させた状態で、ユーザが入力した動作内容に従って動作するデモモードを備えた調理器が開発されている。デモモードを備えた調理器は、店員等によって特殊操作が行われると、マグネトロン等の加熱調理手段の駆動制御を禁止する特殊モードである販売促進モード（デモモード）に移行するように構成されている（例えば、特許文献１参照）。
【０００５】
また、特殊操作が行われて一旦販売促進モードへ移行すると、電源が切られた後に再び電源が投入されたときであっても、簡単に販売促進モードへ移行できる調理器が開発されている。このような調理器は、店員等によって特殊操作が行われると、販売促進モードへ移行するとともに、特殊操作があったことが不揮発性メモリに記憶され、電源が切られてその後再び電源が投入された場合に、不揮発性メモリに特殊操作があったことが記憶されていると、特殊操作が行われなくても販売促進モードに移行する（例えば、特許文献２参照）。
【０００６】
ところで、最近の調理器には、調理器が備える様々な機能の動作態様をユーザの好みに応じて設定変更することができるものがある。たとえば、調理の終了をユーザに報知する調理終了音については、調理終了音の音質や音量を変更することができたり、調理時間やメニューの好みなどを記憶させるメモリ機能については、記憶させる調理時間やメニューの好みを変更することができる。このような調理器では、調理器が備える各種機能の動作態様を規定する複数の動作パラメータは、調理器の電源が切られても消去されないようにするために、上記の特許文献２の調理器と同様に不揮発性メモリに記憶されており、また工場出荷時の動作パラメータも別途不揮発性メモリに記憶されており、デモモード解除時に工場出荷状態に戻すように構成されている（例えば、特許文献３参照）。
【特許文献１】実公平３−１７１３４号公報
【特許文献２】特開平５−３３９４４号公報
【特許文献３】特開２００５−２３３５７３号公報
【発明の開示】
【発明が解決しようとする課題】
【０００７】
しかしながら、このような従来の構成では、デモモード解除時に工場出荷状態に戻すかそのままになるようになっているため、工場出荷後に意図して実際に使用する状態に設定条件を変更していたかどうか不明なため、誤ってデモモードを開始してしまった場合など、再度設定条件を確認、変更する必要が生じるとともに、現在の設定条件を確認するための操作が必要な場合など設定条件が変更されていることに気づきにくいため、意図しない設定条件で動作することになるという問題を有していた。
【０００８】
本発明は上記従来の課題を解決するもので、デモモード解除時に各設定条件を意図した条件に確実に設定できる調理器を提供することを目的としている。
【課題を解決するための手段】
【０００９】
本発明は上記目的を達成するために、加熱手段を停止させた状態で、調理器の動作内容を入力する入力手段から入力された動作内容に従って動作するデモモードの開始および解除をモード切換手段により指示し、調理器の動作を規定する複数の設定条件が記憶される記憶領域を有する設定条件選択手段により各々の設定条件の内容を選択および変更するようにし、設定条件選択手段からの選択および変更内容に基づいて記憶領域を変更する制御手段により記憶領域から読み出した記憶内容に基づいて調理器の動作を制御し、調理器の状態を表示手段により表示するよう構成し、制御手段は、モード切換手段でデモモードの解除が指示された後、各々の設定条件のすべてあるいは特定の一部を表示手段に表示するよう構成したものである。
【００１０】
これにより、デモモード解除時に各設定条件を容易に確認でき、意図しない設定で使用されることがないようにできる。
【発明の効果】
【００１１】
本発明の調理器は、デモモード解除時に、意図しない設定条件で使用されることがないようにできる。
【発明を実施するための最良の形態】
【００１２】
第１の発明は、加熱手段と、調理器の動作内容を入力する入力手段と、前記加熱手段を停止させた状態で前記入力手段から入力された動作内容に従って動作するデモモードの開始および解除を指示するモード切換手段と、調理器の動作を規定する複数の設定条件が記憶される記憶領域を有し、各々の設定条件の内容を選択および変更する設定条件選択手段と、前記設定条件選択手段からの選択および変更内容に基づいて記憶領域を変更し前記記憶領域から読み出した記憶内容に基づいて調理器の動作を制御する制御手段と、調理器の状態を表示する表示手段とを備え、前記制御手段は、前記モード切換手段でデモモードの解除が指示された後、各々の設定条件のすべてあるいは特定の一部を前記表示手段に表示するよう構成したものであり、デモモード解除時に変更があった設定条件を確認することができ、意図しない設定条件で使用されることがないようにできる。
【００１３】
第２の発明は、上記第１の発明において、制御手段は、モード切換手段でデモモードの解除が指示された後、各々の設定条件の内、少なくとも、前記モード切換手段でデモモードの設定が指示されてから、前記モード切換手段でデモモードの解除が指示されるまでに、設定条件選択手段により設定条件の変更があった設定条件のすべてあるいは特定の一部を、表示手段に表示するようにしたものであり、デモモード解除時に変更があった設定条件を容易に確認することができ、意図しない設定条件で使用されることがないようにできる。
【００１４】
第３の発明は、上記第１または第２の発明において、モード切換手段でデモモードの解除後の設定条件の表示中に設定条件を変更できる第１の設定条件再設定手段を備えたものであり、デモモード解除時に変更があった設定条件を確認しつつ、意図しない設定条件の場合に即座に設定条件を変更することができ、意図しない設定条件で使用されることがないようにできる。
【００１５】
第４の発明は、上記第１〜３のいずれか１つの発明において、モード切換手段でデモモードの解除後の設定条件の表示中に個別あるいはすべての設定条件をデモモード開始前の状態に変更するかどうか選択できる第２の設定条件再設定手段を備えたものであり、デモモード解除時に変更があった設定条件を確認しつつ、意図しない設定条件の場合に即座に設定条件を変更することができるともに、個別またはすべての設定条件をデモモード開始前の状態に容易に変更するかどうか選択することもでき、意図しない設定条件で使用されることがないようにできる。
【００１６】
以下、本発明の実施の形態について、図面を参照しながら説明する。なお、この実施の形態によって本発明が限定されるものではない。
【００１７】
（実施の形態１）
図１は、本発明の実施の形態１における調理器（炊飯器）の要部ブロック図である。
【００１８】
図１に示すように、鍋１は調理物を入れるもので、この鍋１を加熱手段２により加熱する。入力手段３は調理器の動作内容を入力するものである。モード切換手段４は加熱手段２を停止させた状態で入力手段３から入力された動作内容に従って動作するデモモードの開始および解除を指示するものである。記憶領域５は調理器の動作を規定する複数の設定条件を記憶している。設定条件選択手段６は各々の設定条件の内容を選択および変更するものである。表示手段７は調理器の状態を表示するものであり、制御手段８は設定条件選択手段６からの選択および変更内容に基づいて記憶領域５を変更し、記憶領域５から読み出した記憶内容と入力手段３およびモード切換手段４からの入力に基づいて、加熱手段２および表示手段７などの調理器の動作を制御する。
【００１９】
ここで、制御手段８は、モード切換手段４でデモモードの解除が指示された後、各々の設定条件のすべてあるいは特定の一部を表示手段７に表示するよう構成している。
【００２０】
上記構成において図２を参照しながら動作を説明する。ステップＳ２０で、モード切換手段３によりデモモードが選択されている状態かどうかを判断し、デモモードが選択されている場合はステップＳ２１へ進み、選択されていない場合はステップＳ２２へ進む。ステップＳ２１では、設定条件選択手段４により、設定条件が変更されているかどうか判断し、設定条件が変更されている場合はステップＳ２３へ進み、変更されていなければステップＳ２４へ進む。ステップＳ２３では、設定条件を変更して記憶領域５に記憶し、ステップＳ２４へ進む。ステップＳ２４では、入力手段３による動作内容の入力があるかどうかを判断し、入力がある場合はステップＳ２５へ進み、入力がない場合はステップＳ２６へ進む。ステップＳ２５では、動作内容の入力に応じて加熱手段２以外の調理器の動作を行い、ステップＳ２６へ進む。ステップＳ２６では、モード切換手段４によりデモモード終了が選択されたかどうかを判断し、終了が選択された場合はステップＳ２７へ進み、選択されてない場合はステップＳ２８へ進み、記憶領域５の記憶内容に応じてデモモードを継続する。ステップＳ２７では各種設定条件を順に表示手段７に表示した後、ステップＳ２９へ進み、ステップＳ２９でデモモードを終了する。
【００２１】
ステップＳ２２では、設定条件選択手段６により設定条件が変更されているかどうか判断し、変更されている場合はステップＳ３０へ進み、変更されていなければステップＳ３１へ進む。ステップＳ３０では、設定条件を変更して記憶領域５に記憶し、ステップＳ３１へ進む。ステップＳ３１では、入力手段３による動作内容の入力があるかどうかを判断し、入力がある場合はステップＳ３２へ進み、入力がない場合はステップＳ３３へ進む。ステップＳ３２では、動作内容の入力に応じて加熱手段２を含む調理器の動作を行い、ステップＳ３３へ進む。ステップＳ３３では、モード切換手段４によりデモモード開始が選択されたかどうかを判断し、開始が選択された場合はステップＳ３４へ進み、選択されてない場合はステップＳ３５へ進み、記憶領域５の記憶内容に応じて通常動作を継続する。ステップＳ３４ではデモモードを開始する。
【００２２】
以上のように、本実施の形態においては、モード切換手段４でデモモードの解除が指示された後、各々の設定条件を表示手段７に表示するようにすることで、デモモード解除時に各設定条件を確認することができ、意図しない設定条件で使用されることがないようにできる。
【００２３】
なお、本実施の形態では、入力手段５とモード切換手段３と設定条件選択手段４は別のものとしているが、同じものでもかまわないし、入力手段５の長押し、同時押し、連続操作など通常使用しない特殊な操作を含めてもよいことは明らかである。
【００２４】
また、本実施の形態では、デモモード終了時に各種設定条件を表示手段７に順に表示するようにしているが、例えば設定を変更する方法が非常に困難な方法であったり、実使用上に影響がないものであったり、デモモード中は一部の設定条件が変更できないようにしてあればその設定条件を表示する必要もなく、また現在時刻や選択中のメニューなど容易にその状態を判別できるものであればその内容についても表示する必要はないのは明らかであるため、すべてを表示する必要はなく、各々の設定条件の特定の一部を表示手段７に表示するようにしてもよい。
【００２５】
また、本実施の形態では、デモモード終了時に各種設定条件を表示手段７に表示するようにしているが、専用の表示手段あるいは報知手段を設けてもよいのは明らかである。
【００２６】
（実施の形態２）
図３は、本発明の実施の形態２における調理器（炊飯器）の要部ブロック図である。
【００２７】
図３に示すように、制御手段９は、設定条件選択手段６からの選択および変更内容に基づいて記憶領域５を変更し、記憶領域５から読み出した記憶内容と入力手段３およびモード切換手段４からの入力に基づいて、加熱手段２および表示手段７などの調理器の動作を制御する。また、制御手段９は、モード切換手段４でデモモードの解除が指示された後、各々の設定条件の内、少なくとも、モード切換手段４でデモモードの設定が指示されてから、モード切換手段４でデモモードの解除が指示されるまでに、設定条件選択手段６により設定条件の変更があった設定条件のすべてあるいは特定の一部を、表示手段７に表示するようにしている。他の構成は上記実施の形態１と同じであるので同一符号を付して説明を省略する。
【００２８】
上記構成において図４を参照しながら動作を説明する。なお、上記実施の形態１の動作を示す図２と同じ符号を付したステップＳ２０からステップＳ３５については、ステップＳ２６が、デモモード終了時にステップＳ４０へ進む以外は、同じ動作であるので説明を省略し、ステップＳ４０以降について説明する。
【００２９】
ステップＳ４０では、デモモード中に設定条件の変更があったかどうかを判断し、変更があった場合はステップＳ４１へ進み、変更がない場合はステップＳ２９へ進む。ステップＳ４１では、変更のあった設定条件を表示手段７に表示し、ステップＳ２９へ進む。
【００３０】
以上のように、本実施の形態においては、制御手段９は、モード切換手段４でデモモードの解除が指示された後、各々の設定条件の内、少なくとも、モード切換手段４でデモモードの設定が指示されてから、モード切換手段４でデモモードの解除が指示されるまでに、設定条件選択手段６により設定条件の変更があった設定条件のすべてあるいは特定の一部を、表示手段７に表示するようにしているので、デモモード解除時に変更があった設定条件を確認することができ、意図しない設定条件で使用されることがないようにできるとともに、変更がなかった場合は余計な確認作業を行うことなくすみやかに終了させることができる。
【００３１】
（実施の形態３）
図５は、本発明の実施の形態３における調理器（炊飯器）の要部ブロック図である。
【００３２】
図５に示すように、制御手段１０は、設定条件選択手段６からの選択および変更内容に基づいて記憶領域５を変更し、記憶領域５から読み出した記憶内容と入力手段３およびモード切換手段４からの入力に基づいて、加熱手段２および表示手段７などの調理器の動作を制御する。また、第１の設定条件再設定手段１１は、モード切換手段４でデモモードの解除後の設定条件の表示中に設定条件を変更できるよう構成している。他の構成は上記実施の形態１と同じであるので同一符号を付して説明を省略する。
【００３３】
上記構成において図６を参照しながら動作を説明する。なお、上記実施の形態１の動作を示す図２と同じ符号を付したステップＳ２０からステップＳ３５については、ステップＳ２６が、デモモード終了時にステップＳ５０へ進む以外は、同じ動作であるので説明を省略し、ステップＳ５０以降について説明する。
【００３４】
ステップＳ５０では、デモモード中に設定条件の変更があったかどうかを順に判断し、変更があった場合はステップＳ５１へ進み、変更がない場合はステップＳ２９へ進む。ステップＳ５１では、変更のあった設定条件を表示手段７に順に表示し、ステップＳ５２へ進む。ステップＳ５２では、第１の設定条件再設定手段１１により設定条件再設定が選択されたかどうかを判断し、選択された場合はステップＳ５３へ進み、選択されていない場合はステップＳ５４へ進む。ステップＳ５３では、選択された設定条件を変更してステップＳ５４へ進む。ステップＳ５４では残りの設定条件の変更があったかどうかを判断し、変更があった場合はステップＳ５１へ進み、変更がない場合はステップＳ２９へ進む。
【００３５】
以上のように、本実施の形態においては、モード切換手段４でデモモードの解除後の設定条件の表示中に設定条件を変更できる第１の設定条件再設定手段１１を備えたので、デモモード解除時に変更があった設定条件を確認しつつ、意図しない設定条件の場合に即座に設定条件を変更することができ、意図しない設定条件で使用されることがないようにできる。
【００３６】
なお、本実施の形態では、入力手段５とモード切換手段３と設定条件選択手段４と第１の設定条件選択手段１１は別のものとしているが、同じものでもかまわないし、入力手段５の長押し、同時押し、連続操作など通常使用しない特殊な操作を含めてもよいことは明らかである。
【００３７】
（実施の形態４）
図７は、本発明の実施の形態４における調理器（炊飯器）の要部ブロック図である。
【００３８】
図７に示すように、制御手段１２は、設定条件選択手段６からの選択および変更内容に基づいて記憶領域５を変更し、記憶領域５から読み出した記憶内容と入力手段３およびモード切換手段４からの入力に基づいて、加熱手段２および表示手段７などの調理器の動作を制御する。また、第２の設定条件再設定手段１３は、モード切換手段４でデモモードの解除後の設定条件の表示中に個別あるいはすべての設定条件をデモモード開始前の状態に変更するかどうか選択できるよう構成している。他の構成は上記実施の形態１と同じであるので同一符号を付して説明を省略する。
【００３９】
上記構成において図８を参照しながら動作を説明する。なお、上記実施の形態１の動作を示す図２と同じ符号を付したステップＳ２０からステップＳ３５については、ステップＳ２６が、デモモード終了時にステップＳ６０へ進む以外は、同じ動作であるので説明を省略し、ステップＳ６０以降について説明する。
【００４０】
ステップＳ６０では、デモモード中に設定条件の変更があったかどうかを順に判断し、変更があった場合はステップＳ６１へ進み、変更がない場合はステップＳ２９へ進む。ステップＳ６１では、変更のあった設定条件を表示手段７に順に表示し、ステップＳ６２へ進む。ステップＳ６２では、第２の設定条件再設定手段１３により設定条件再設定が選択されたかどうかを判断し、選択された場合はステップＳ６３へ進み、選択されていない場合はステップＳ２９へ進む。ステップＳ６３では、設定条件をデモモード開始前の状態に変更してステップＳ２９へ進む。
【００４１】
以上のように、本実施の形態においては、モード切換手段４でデモモードの解除後の設定条件の表示中に個別あるいはすべての設定条件をデモモード開始前の状態に変更するかどうか選択できる第２の設定条件再設定手段１３を備えたので、デモモード解除時に変更があった設定条件を確認しつつ、意図しない設定条件の場合に即座に設定条件を変更することができるともに、個別またはすべての設定条件をデモモード開始前の状態に容易に変更するかどうか選択することもでき、意図しない設定条件で使用されることがないようにできる。
【００４２】
なお、本実施の形態では、入力手段５とモード切換手段３と設定条件選択手段７と第２の設定条件再設定手段１３は別のものとしているが、同じものでもかまわないし、入力手段の長押し、同時押し、連続操作など通常使用しない特殊な操作を含めてもよいことは明らかである。
【００４３】
また、本実施の形態では、第２の設定条件再設定手段１３によって一度にすべての項目をデモモード開始前に戻すようにしているが、各項目を個別に戻すようにしてもよいし、戻す項目を限定してもよいことは明らかである。
【００４４】
また、本実施の形態では、上記実施の形態３にある第１の設定条件再設定手段１１はないが、もちろんあってもよく、第１の設定条件再設定手段１１と同じ操作部の回数などで１回目はデモモード開始前の設定条件にし、２回目以降は可能な設定条件を順に選択するというように区別して両方があるようにしてもよいのは明らかである。
【００４５】
また、以上の各実施の形態では、記憶領域５を制御手段とは別のものとしているが、マイクロコンピュータなどの制御手段自身のメモリを使用してもよいのは明らかであり、揮発性、不揮発性のどちらかに限定されるものではないし、両方を併用してもよい。
【産業上の利用可能性】
【００４６】
以上のように、本発明にかかる調理器は、デモモード解除時に、意図しない設定条件で使用されることがないようにできるので、マグネトロン等の加熱調理手段の駆動制御を禁止する特殊モード（デモモード）を有する調理器として有用である。
【図面の簡単な説明】
【００４７】
【図１】本発明の実施の形態１における調理器の要部ブロック図
【図２】同調理器の動作フローチャート
【図３】本発明の実施の形態２における調理器の要部ブロック図
【図４】同調理器の動作フローチャート
【図５】本発明の実施の形態３における調理器の要部ブロック図
【図６】同調理器の動作フローチャート
【図７】本発明の実施の形態４における調理器の要部ブロック図
【図８】同調理器の動作フローチャート
【符号の説明】
【００４８】
１  鍋
２  加熱手段
３  入力手段
４  モード切換手段
５  記憶領域
６  設定条件選択手段
７  表示手段
８  制御手段
【図１】
2007222457.tif 000003
【図２】
2007222457.tif 000004
【図３】
2007222457.tif 000005
【図４】
2007222457.tif 000006
【図５】
2007222457.tif 000007
【図６】
2007222457.tif 000008
【図７】
2007222457.tif 000009
【図８】
2007222457.tif 000010